(57)【要約】【課題】  本発明は下糸をボビンに巻き付けなくてもボビンケース内へ供給して使用することができるようにして、下糸の長さがボビンに巻き付け収納する長さに限らず、下糸の交換作業を著しく減少させて、効率よく縫製作業を行なうことができるミシンおよび下糸供給装置を得るにある。【解決手段】  ミシンにおいて、内釜の針落ち孔が形成された部位よりも下流部位に形成された透孔と、外釜の回転のじゃまにならないように一端部が前記透孔に固定され、他端部が該外釜の上糸を捕捉する剣先に係止された、該剣先の上部に位置する上糸を順次前記ボビンケースの外側面側へガイドすることができるように外釜の上部に配置された内部を下糸を通過させることができる下糸ガイド部材と、この下糸ガイド部材の内部を通過し、前記内釜内へ導かれる糸巻からの下糸をボビンケース内へ導く、該ボビンケースに形成された下糸供給孔とからなる下糸供給装置とでミシンを構成している。【選択図】  図１０
2004154554.tif 000002
【特許請求の範囲】
【請求項１】
駆動装置によって回転駆動されるフレームに、回転可能に支持された釜軸に固定された上糸を捕捉する剣先を有する外釜と、この外釜内に該外釜の回転を阻止しないように収納されたフレームに取付けられた、内釜止め部材によって回転不能に係止される上部に縫い針が挿通される針落ち孔が形成された内釜と、この内釜内に回転不能に取付けられた下糸引出孔を有するボビンケースとを備えるミシンにおいて、前記内釜の針落ち孔が形成された部位よりも下流部位に形成された透孔と、前記外釜の回転のじゃまにならないように一端部が前記透孔に接続固定され、他端部が順次下流側の前記内釜の外側端部よりも外方に突出する導入部、該導入部の突出端部より前記外釜の上部位置へ導く曲げ部、該曲げ部の端部部位より弧状となるように外釜の内側でかつ上流部方向の前記針落ち孔の上流部より前記内釜の外側端部よりも外方に突出するように配置されたガイド部とからなる内部を下糸を通過させることができる下糸ガイド部材と、この下糸ガイド部材の内部を通過し、前記内釜内へ導かれる糸巻からの下糸を前記ボビンケース内へ導く、該ボビンケースに形成された下糸供給孔と、前記下糸ガイド部材の前記針落ち孔の上流部と前記内釜の外側端部よりも外方に突出する部位に下流方向で前記針落ち孔の下流部位へ突出する係止片と、前記外釜の剣先と反対側の部位に形成された上糸の一方を前記下糸ガイド部材の上流部よりも外方へ導く上糸押し出し片とからなる下糸供給装置を設けたことを特徴とするミシン。
【請求項２】
内釜の針落ち孔が形成された部位よりも下流部位に形成された透孔と、外釜の回転のじゃまにならないように一端部が前記透孔に接続固定され、他端部が順次下流側の前記内釜の外側端部よりも外方に突出する導入部、該導入部の突出端部より前記外釜の上部位置へ導く曲げ部、該曲げ部の端部部位より弧状となるように外釜の内側でかつ上流部方向の前記針落ち孔の上流部より前記内釜の外側端部よりも外方に突出するように配置されたガイド部とからなる内部を下糸を通過させることができる下糸ガイド部材と、この下糸ガイド部材の内部を通過し、前記内釜内へ導かれる糸巻からの下糸をボビンケース内へ導く、該ボビンケースに形成された下糸供給孔と、前記下糸ガイド部材の前記針落ち孔の上流部と前記内釜の外側端部よりも外方に突出する部位に下流方向で前記針落ち孔の下流部位へ突出する係止片と、前記外釜の剣先と反対側の部位に形成された上糸の一方を前記下糸ガイド部材の上流部よりも外方へ導く上糸押し出し片とからなることを特徴とする下糸供給装置。
【請求項３】
駆動装置によって回転駆動されるフレームに、回転可能に支持された釜軸に固定された上糸を捕捉する剣先を有する外釜と、この外釜内に該外釜の回転を阻止しないように収納されたフレームに取付けられた、内釜止め部材によって回転不能に係止される上部に縫い針が挿通される針落ち孔が形成された内釜と、この内釜内に回転不能に取付けられた下糸引出孔を有するボビンケースとを備えるミシンにおいて、前記内釜の針落ち孔が形成された部位よりも下流部位に形成された透孔と、前記外釜の回転のじゃまにならないように一端部が前記透孔に固定され、他端部が該外釜の上糸を捕捉する剣先に係止された、該剣先の上部に位置する上糸を順次前記ボビンケースの外側面側へガイドすることができるように外釜の上部に配置された内部を下糸を通過させることができる下糸ガイド部材と、この下糸ガイド部材の内部を通過し、前記内釜内へ導かれる糸巻からの下糸を前記ボビンケース内へ導く、該ボビンケースに形成された下糸供給孔とからなる下糸供給装置を設けたことを特徴とするミシン。
【請求項４】
駆動装置によって回転駆動されるフレームに、回転可能に支持された釜軸に固定された上糸を捕捉する剣先を有する外釜と、この外釜内に該外釜の回転を阻止しないように収納されたフレームに取付けられた、内釜止め部材によって回転不能に係止される上部に縫い針が挿通される針落ち孔が形成された内釜と、この内釜内に回転不能に取付けられた下糸引出孔を有するボビンケースとを備えるミシンにおいて、前記内釜の針落ち孔が形成された部位よりも下流部位の開口端部寄りの部位に形成された透孔と、前記外釜の回転のじゃまにならないように一端部が前記透孔に固定され、他端部が該外釜の上糸を捕捉する剣先に係止された、該剣先の上部に位置する上糸を順次前記ボビンケースの外側面側へガイドすることができるように外釜の上部内側方向に位置するように、前記フレームに取付けられた内部を下糸を通過させることができる筒状の下糸ガイド部材と、この下糸ガイド部材の内部を通過し、前記内釜内へ導かれる糸巻からの下糸を前記ボビンケース内へ導く、該ボビンケースに形成された下糸供給孔とからなる下糸供給装置を設けたことを特徴とするミシン。
【請求項５】
内釜の針落ち孔が形成された部位よりも下流部位に形成された透孔と、外釜の回転のじゃまにならないように一端部が前記透孔に固定され、他端部が該外釜の上糸を捕捉する剣先に係止された、該剣先の上部に位置する上糸を順次前記ボビンケースの外側面側へガイドすることができるように外釜の上部に配置された内部を下糸を通過させることができる下糸ガイド部材と、この下糸ガイド部材の内部を通過し、前記内釜内へ導かれる糸巻からの下糸をボビンケース内へ導く、該ボビンケースに形成された下糸供給孔とからなることを特徴とするミシンの下糸供給装置。
【発明の詳細な説明】
【技術分野】
【０００１】
本発明は全回転式工業用ミシン等のミシンおよびミシンの下糸供給装置に関する。
【背景技術】
【０００２】
従来、全回転式工業用ミシンの下糸は、内釜に着脱可能に装着されるボビンケース内に収納されるボビンに巻き付け、ボビンケースの下糸引出孔より引出せるように構成されている。
【０００３】
従来の全回転式工業用ミシンの下糸はボビンに巻き付けられて使用しているため、ボビンに巻き付け収納する下糸の長さが限定され、長い縫製をする場合、途中で下糸の交換が必要になったりするという欠点があるとともに、長い縫製でなくても、比較的頻繁に下糸の交換作業が必要で、作業効率が悪いという欠点があった。
【特許文献１】特許第２９７２９６５号
【発明の開示】
【発明が解決しようとする課題】
【０００４】
本発明は以上のような従来の欠点に鑑み、下糸をボビンに巻き付けなくてもボビンケース内へ供給して使用することができるようにして、下糸の長さがボビンに巻き付け収納する長さに限らず、下糸の交換作業を著しく減少させて、効率よく縫製作業を行なうことができるミシンおよびミシンの下糸供給装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は駆動装置によって回転駆動されるフレームに、回転可能に支持された釜軸に固定された上糸を捕捉する剣先を有する外釜と、この外釜内に該外釜の回転を阻止しないように収納されたフレームに取付けられた、内釜止め部材によって回転不能に係止される上部に縫い針が挿通される針落ち孔が形成された内釜と、この内釜内に回転不能に取付けられた下糸引出孔を有するボビンケースとを備えるミシンにおいて、前記内釜の針落ち孔が形成された部位よりも下流部位に形成された透孔と、前記外釜の回転のじゃまにならないように一端部が前記透孔に接続固定され、他端部が順次下流側の前記内釜の外側端部よりも外方に突出する導入部、該導入部の突出端部より前記外釜の上部位置へ導く曲げ部、該曲げ部の端部部位より弧状となるように外釜の内側でかつ上流部方向の前記針落ち孔の上流部より前記内釜の外側端部よりも外方に突出するように配置されたガイド部とからなる内部を下糸を通過させることができる下糸ガイド部材と、この下糸ガイド部材の内部を通過し、前記内釜内へ導かれる糸巻からの下糸を前記ボビンケース内へ導く、該ボビンケースに形成された下糸供給孔と、前記下糸ガイド部材の前記針落ち孔の上流部と前記内釜の外側端部よりも外方に突出する部位に下流方向で前記針落ち孔の下流部位へ突出する係止片と、前記外釜の剣先と反対側の部位に形成された上糸の一方を前記下糸ガイド部材の上流部よりも外方へ導く上糸押し出し片とからなる下糸供給装置とでミシンを構成している。
【０００７】
また、本発明は内釜の針落ち孔が形成された部位よりも下流部位に形成された透孔と、外釜の回転のじゃまにならないように一端部が前記透孔に接続固定され、他端部が順次下流側の前記内釜の外側端部よりも外方に突出する導入部、該導入部の突出端部より前記外釜の上部位置へ導く曲げ部、該曲げ部の端部部位より弧状となるように外釜の内側でかつ上流部方向の前記針落ち孔の上流部より前記内釜の外側端部よりも外方に突出するように配置されたガイド部とからなる内部を下糸を通過させることができる下糸ガイド部材と、この下糸ガイド部材の内部を通過し、前記内釜内へ導かれる糸巻からの下糸をボビンケース内へ導く、該ボビンケースに形成された下糸供給孔と、前記下糸ガイド部材の前記針落ち孔の上流部と前記内釜の外側端部よりも外方に突出する部位に下流方向で前記針落ち孔の下流部位へ突出する係止片と、前記外釜の剣先と反対側の部位に形成された上糸の一方を前記下糸ガイド部材の上流部よりも外方へ導く上糸押し出し片とでミシンの下糸供給装置を構成している。
【発明の効果】
【０００８】
以上の説明から明らかなように、本発明にあっては次に列挙する効果が得られる。
【０００９】
（１）駆動装置によって回転駆動されるフレームに、回転可能に支持された釜軸に固定された上糸を捕捉する剣先を有する外釜と、この外釜内に該外釜の回転を阻止しないように収納されたフレームに取付けられた、内釜止め部材によって回転不能に係止される上部に縫い針が挿通される針落ち孔が形成された内釜と、この内釜内に回転不能に取付けられた下糸引出孔を有するボビンケースとを備えるミシンにおいて、前記内釜の針落ち孔が形成された部位よりも下流部位に形成された透孔と、前記外釜の回転のじゃまにならないように一端部が前記透孔に接続固定され、他端部が順次下流側の前記内釜の外側端部よりも外方に突出する導入部、該導入部の突出端部より前記外釜の上部位置へ導く曲げ部、該曲げ部の端部部位より弧状となるように外釜の内側でかつ上流部方向の前記針落ち孔の上流部より前記内釜の外側端部よりも外方に突出するように配置されたガイド部とからなる内部を下糸を通過させることができる下糸ガイド部材と、この下糸ガイド部材の内部を通過し、前記内釜内へ導かれる糸巻からの下糸を前記ボビンケース内へ導く、該ボビンケースに形成された下糸供給孔と、前記下糸ガイド部材の前記針落ち孔の上流部と前記内釜の外側端部よりも外方に突出する部位に下流方向で前記針落ち孔の下流部位へ突出する係止片と、前記外釜の剣先と反対側の部位に形成された上糸の一方を前記下糸ガイド部材の上流部よりも外方へ導く上糸押し出し片とからなる下糸供給装置を設けたので、下糸を下糸ガイド部材内より内釜内へ導き、ボビンケースの下糸供給孔よりボビンケース内へ導くことができる。  したがって、下糸を糸巻から直接ボビンケース内へ導くことができ、従来のように下糸がボビンに巻き付けられる長さに限定されることなく供給でき、下糸の交換作業を著しく減少させて、縫製作業を効率よく行なうことができる。
【００１０】
（２）前記（１）によって、上糸が縫い針によって針落ち孔に挿入されると、外釜の上糸を捕捉する剣先に捕捉され、内釜の外周部を回転するが、この時、剣先に捕捉された上糸の剣先の上部に位置する上部上糸は下糸ガイド部材によってボビンケースの外側へ排出するようにガイドするとともに、剣先の下部に位置する下部上糸は従来と同様に内釜の外周部を回転することにより、上糸のループを形成することができる。
したがって、従来と同様に上糸のループが形成され、縫製することができる。  
【００１１】
（３）前記（１）によって、下糸ガイド部材、内釜に形成する透孔、ボビンケースに形成する下糸供給孔を設けるだけでよいので、大きな改造が不要で、容易に製造することができる。
【００１２】
（４）請求項２、３、４、５も前記（１）〜（３）と同様な効果が得られる。
【発明を実施するための最良の形態】
【００１３】
以下、図面に示す発明を実施するための最良の形態により、本発明を詳細に説明する。
【００１４】
図１ないし図１６に示す本発明を実施するための最良の第１の実施の形態において、１は本発明の全回転式工業用ミシンで、この全回転式工業用ミシン１はフレーム２に固定された機台３に取付けられたミシン本体４と、このミシン本体４の針棒５に装着された縫い針６の下部位置に位置するように、前記フレーム２に回転可能に支持された駆動装置（図示せず）によって回転駆動される、釜軸７に固定された上糸８を捕捉する剣先９を有する外釜１０と、この外釜１０内に該外釜１０の回転を阻止しないように収納された、前記フレーム２に取付けられた内釜止め部材１１によって回転不能に係止される、上部に縫い針６が挿通される針落ち孔１２が形成された内釜１３と、この内釜１３内に回転不能に取付けられた下糸引出孔１４を有するボビンケース１５とからなる従来と同一の構成と、前記内釜１３の針落ち孔１２が形成された部位よりも下流部位の軌条１６よりも外側部位、本発明の実施の形態では開口端部１３ａ寄りでほぼ９０度の下流部位に形成された透孔１７、前記外釜１０の回転のじゃまにならないように一端部が前記透孔１７に連通するように固定され、他端部が該外釜１０の上糸８を捕捉する剣先９に係止された、該剣先９の上部に位置する上糸８ａを順次前記ボビンケース１５の外側面側へガイドすることができるように外釜１０の上部内側方向に位置するように、前記フレーム２に取付けられた内部を下糸１８を通過させることができる筒状の下糸ガイド部材１９、この下糸ガイド部材１９の内部を通過し、前記内釜１３内へ導かれる糸巻２０からの下糸１８を前記ボビンケース１５内へ導く、該ボビンケース１５に形成された、下糸供給孔２１とからなる下糸供給装置２２とで構成されている。
なお、本発明を実施するための最良の形態では前記内釜１３の針落ち孔１２が形成された部位よりも開口端部１３ａ寄りでほぼ９０度の下流部位に透孔１７を形成したものに付いて説明したが、本発明はこれに限らず前記内釜１３の針落ち孔１２が形成された近傍の下流部位に透孔１７を形成しても良い。
【００１５】
前記下糸ガイド部材１９は図７および図８に示すように、パイプ材で前記フレーム２に後端部寄りの部位が取付けられる弧状のガイド部１９ａと、このガイド部１９ａの先端部に一体形成されたほぼく字状で、かつ先端部が順次下方へ傾斜された導入部１９ｂとで構成されている。
【００１６】
上記構成のミシン１は、下糸１８はミシン１のフレーム２あるいはミシン１の周辺部に設置された糸巻２０から下糸ガイド部材１９内を通過し、内釜１３、ボビンケース１５の下糸供給孔２１を通過し、ボビンケース１５内よりボビン２３を介して、あるいは直接該ボビンケース１５の下糸引出孔１４あるいはボビンケース１５内に収納したボビン２３に数回巻き付けた後、ボビンケース１５の下糸引出孔１４より引出すようにセットする。
【００１７】
また、縫い針６の上糸８は針落ち孔１２に挿入されると、回転する外釜１０の上糸を捕捉する剣先９で、図９および図１０に示すように上糸８を捕捉する。
この上糸を捕捉する剣先９に捕捉された上糸８の剣先９の上部に位置する上部上糸８ａは、外釜１０の回転により下糸ガイド部材１９のガイド部１９ａにガイドされ、ボビンケース１５の外側へ排出される。
また、剣先９の下部に位置する下部上糸８ｂは外釜１０の回転により、従来と同様に内釜１３の内側部分へガイドされ、該外釜１０が図１３および図１４に示すように針落ち孔１２部位より１８０度以上回転することにより、内釜１３の外周部の前面と裏面側に位置し、図１５および図１６に示すように該内釜１３の外周部に沿って上昇して上糸のループ２４を形成する。
このため、上糸を捕捉する剣先９に捕捉された上糸８の上部上糸８ａは下糸ガイド部材１９のガイド部１９ａにガイドされ、ボビンケース１５の外側へ排出され、剣先９の下部に位置する下部上糸８ｂは下糸ガイド部材１９を通過することなく外釜１０と内釜１３との間を通過するため、従来と同様に上糸のループ２４を形成することができる。
（発明を実施するための異なる形態）
【００１８】
次に、図１７ないし図３３に示す本発明を実施するための異なる形態につき説明する。なお、この本発明を実施するための異なる形態の説明に当って、前記本発明を実施するための最良の第１のの形態と同一構成部分には同一符号を付して重複する説明を省略する。
【００１９】
図１７ないし図２１に示す本発明を実施するための第２の形態において、前記本発明を実施するための最良の第１の実施の形態と主に異なる点は、内釜１３に形成した透孔１７および下糸ガイド部材１９に外部から下糸１８を挿入することができる切欠溝２５、２６を形成した点で、このような切欠溝２５、２６を形成した透孔１７および下糸ガイド部材１９を用いた下糸供給装置２２Ａを使用したミシン１Ａにしても、前記本発明を実施するための最良の第１のの形態と同様な作用効果が得られる。
【００２０】
図２２ないし図３３に示す本発明を実施するための第３の形態において、前記本発明を実施するための最良の第１の形態と主に異なる点は、内釜１３の針落ち孔１２が形成された部位よりも下流部位に形成された透孔１７と、外釜１０の回転のじゃまにならないように一端部が前記透孔１７に接続固定され、他端部が順次下流側の前記内釜１３の外側端部よりも外方に突出する導入部１９ａ、該導入部１９ａの突出端部より前記外釜１０の上部位置へ導く曲げ部１９ｂ、該曲げ部１９ｂの端部部位より弧状となるように外釜１０の内側でかつ上流部方向の前記針落ち孔１２の上流部より前記内釜１３の外側端部よりも外方に突出するように配置されたガイド部１９ｃとからなる内部を下糸を通過させることができる下糸ガイド部材１９Ａと、この下糸ガイド部材１９Ａの内部を通過し、前記内釜１３内へ導かれる糸巻２０からの下糸１８をボビンケース１５内へ導く、該ボビンケース１５に形成された下糸供給孔２１と、前記下糸ガイド部材１９Ａの前記針落ち孔１２の上流部と前記内釜１３の外側端部よりも外方に突出する部位に下流方向で前記針落ち孔１２の下流部位へ突出する係止片２７と、前記外釜１０の剣先９と反対側の部位に形成された上糸８の一方を前記下糸ガイド部材１９Ａの上流部よりも外方へ導く上糸押出し片２８とからなる下糸供給装置２２Ｂを使用した点で、このように構成された下糸供給装置２２Ｂを使用したミシン１Ｂは下糸１８はミシン１のフレーム２あるいはミシン１の周辺部に設置された糸巻２０から下糸ガイド部材１９Ａ内を通過し、内釜１３、ボビンケース１５の下糸供給孔２１を通過し、ボビンケース１５内よりボビン２３を介して、あるいは直接該ボビンケース１５の下糸引出孔１４あるいはボビンケース１５内に収納したボビン２３に数回巻き付けた後、ボビンケース１５の下糸引出孔１４より引出すようにセットする。
また、縫い針６の上糸８は針落ち孔１２に挿入されると、回転する外釜１０の上糸を捕捉する剣先９で、上糸８を捕捉する。
この上糸を捕捉する剣先９に捕捉された上糸８の剣先９の上部に位置する上部上糸８ａは、外釜１０の回転により下糸ガイド部材１９Ａのガイド部１９ｃにガイドされ、ボビンケース１５の外側へ排出される。
また、剣先９の下部に位置する上糸８ｂは外釜１０の回転により、上糸押出し片２８で内釜１３から出されている下糸ガイド部材１９Ａの湾曲部の中心方向へ押出される。
上糸押出し片２８のやや中央部に対向する針落孔１２の下流部へ突出する係止片２７の外側へ上糸８ｂは移行し、該上糸８ｂは係止片２７の外側を支点として外釜１０の回転により、従来と同様に内釜１３の内側部分へガイドされ針落ち孔１２部位より１８０度以上回転することにより、内釜１３の外周部の前面と裏面側に位置し、内釜１３を縄飛状に回る形態となる。
さらに、外釜１０の回転により、縫い針６が上昇し、内釜１３を縄飛状に回る、上糸８ｂは徐々に内釜１３から離脱しつつ、ループを縮めながら係止片２７の下方から抜ける。その上で、ボビンケース１５前面から下糸１８をだいて内釜１３の上部中心下糸吊り上げ部で待機している上糸８ａと相まって下糸１８を絡めることができる。
【産業上の利用可能性】
【００２１】
本発明はミシンおよび下糸供給装置を製造する産業およびこれを使用する縫製産業で利用される。
【図面の簡単な説明】
【００２２】
【図１】本発明の第１の実施の形態の正面図。
【図２】本発明の第１の実施の形態の要部破断図。
【図３】本発明の第１の実施の形態の要部平面図。
【図４】本発明の第１の実施の形態の要部正面図。
【図５】本発明の第１の実施の形態の要部側面図。
【図６】図３の６−６線に沿う断面図。
【図７】本発明の第１の実施の形態の下糸ガイド部材の平面図。
【図８】本発明の第１の実施の形態の下糸ガイド部材の正面図。
【図９】上糸が剣先に捕捉された状態の平面図。
【図１０】上糸が剣先に捕捉された状態の正面図。
【図１１】上糸の上部がガイド部材にガイドされる状態の平面図。
【図１２】上糸の上部がガイド部材にガイドされる状態の正面図。
【図１３】上糸の下部が剣先で内釜の外周部を回転する平面図。
【図１４】上糸の下部が剣先で内釜の外周部を回転する正面図。
【図１５】上糸のループが形成された状態の平面図。
【図１６】上糸のループが形成された状態の正面図。
【図１７】本発明の第２の実施の形態の正面図。
【図１８】本発明の第２の実施の形態の要部平面図。
【図１９】本発明の第２の実施の形態の要部正面図。
【図２０】本発明の第２の実施の形態の下糸ガイド部材の平面図。
【図２１】本発明の第２の実施の形態の下糸ガイド部材の正面図。
【図２２】本発明の第３の実施の形態の正面図。
【図２３】本発明の第３の実施の形態の要部平面図。
【図２４】本発明の第３の実施の形態の要部正面図。
【図２５】外釜の押出し片が上方に位置した状態の平面図。
【図２６】本発明の第３の実施の形態の下糸ガイド部材の平面図。
【図２７】本発明の第３の実施の形態の下糸ガイド部材の正面図。
【図２８】上糸が剣先に捕捉された状態の平面図。
【図２９】上糸が剣先に捕捉された状態の正面図。
【図３０】上糸押出し片で外方に押出ししている動作説明の平面図。
【図３１】上糸押出し片で外方に押出ししている動作説明の正面図。
【図３２】上糸がループになった状態の平面図。
【図３３】上糸がループになった状態の正面図。
【符号の説明】
【００２３】
１、１Ａ、１Ｂ：ミシン、２：フレーム、
３：機台、             
４：ミシン本体、
５：針棒、             
６：縫い針、
７：釜軸、             
８：上糸、
９：剣先、              １０：外釜、
１１：内釜止め部材、    １２：針落ち孔、
１３：内釜、            １４：下糸引出孔、
１５：ボビンケース、    １６：軌条、
１７：透孔、            １８：下糸、
１９、１９Ａ：下糸ガイド部材、
１９ａ：導入部、        １９ｂ：曲げ部、
１９ｃ：ガイド部、      ２０：糸巻、
２１：下糸供給孔、
２２、２２Ａ、２２Ｂ：下糸供給装置、
２３：ボビン、          ２４：上糸のループ、
２５、２６：切欠溝、    ２７：係止片、
２８：上糸押出し片。
【図１】
2004154554.tif 000003
【図２】
2004154554.tif 000004
【図３】
2004154554.tif 000005
【図４】
2004154554.tif 000006
【図５】
2004154554.tif 000007
【図６】
2004154554.tif 000008
【図７】
2004154554.tif 000009
【図８】
2004154554.tif 000010
【図９】
2004154554.tif 000011
【図１０】
2004154554.tif 000012
【図１１】
2004154554.tif 000013
【図１２】
2004154554.tif 000014
【図１３】
2004154554.tif 000015
【図１４】
2004154554.tif 000016
【図１５】
2004154554.tif 000017
【図１６】
2004154554.tif 000018
【図１７】
2004154554.tif 000019
【図１８】
2004154554.tif 000020
【図１９】
2004154554.tif 000021
【図２０】
2004154554.tif 000022
【図２１】
2004154554.tif 000023
【図２２】
2004154554.tif 000024
【図２３】
2004154554.tif 000025
【図２４】
2004154554.tif 000026
【図２５】
2004154554.tif 000027
【図２６】
2004154554.tif 000028
【図２７】
2004154554.tif 000029
【図２８】
2004154554.tif 000030
【図２９】
2004154554.tif 000031
【図３０】
2004154554.tif 000032
【図３１】
2004154554.tif 000033
【図３２】
2004154554.tif 000034
【図３３】
2004154554.tif 000035